(57)【要約】【課題】従来の中空構造のグリップ装置は、内部に格子状のフレームが入っていたので、使用者によって把持される部位の撓み量が少なく、グリップ感が悪かった。【解決手段】使用者が強く握ってリブ１５が本体フレーム１６に当たるまで大きくたわんだ時には、突起１９の先端のみが本体フレーム１６に当たるため、実施の形態１のように突起１９がない場合と比べ、本体フレーム１６と把持部１１の接触面積が突起１９の先端のみとなるため、接触面積が少なくなり、指２１を把持部１１から離してリブ１５先端が本体フレーム１６から離れる時に弾性樹脂特有の異音発生の軽減を図ることができる。【選択図】図５
2005303433.tif 000002
【特許請求の範囲】
【請求項１】
電子機器の筐体に配され使用者が把持するグリップ装置であって、弾性変形する材料にて構成された把持手段と、前記把持手段と一体的に形成されかつ使用者による把持部位の裏面側に配された突起部とを備え、本装置を使用者が把持し、前記把持部が弾性変形した際、前記突起部が前記筐体に当接することを特徴とするグリップ装置。
【請求項２】
電子機器の筐体に配され使用者が把持するグリップ装置であって、弾性変形する材料にて構成された把持手段と、前記把持手段と一体的に形成されかつ使用者による把持部位の裏面側に配された突起部と。前記突起部における前記筐体との当接部分に設けられかつ前記筐体に対して部分的に当接する当接部とを備え、本装置を使用者が把持し、前記把持部が弾性変形した際、前記当接部が前記筐体に当接することを特徴とするグリップ装置。
【発明の詳細な説明】
【技術分野】
【０００１】
本発明は、ビデオカメラなどのように使用者の手に把持して使用する機器に用いて有効なグリップ装置に関するものである。
【背景技術】
【０００２】
ビデオムービーやカメラなどの撮像レンズを備えた各種映像撮影機器において、近年は小型化が進み、更に品格・デザインに対する要求が高く、操作性向上の両立が重要な課題となっている。特に、手に持って撮影する機器のため、手の平や指に触れる部分はグリップ部のホールド性考慮した形状や材料が用いられている。
【０００３】
以下、従来のグリップ装置について図面を用いて説明する。
【０００４】
図６は従来のグリップ装置の分解斜視図、図７は従来のグリップ装置を用いたビデオカメラを示す斜視図・平面図・断面図である。
【０００５】
図において、１は使用者の指またば手により把持される部分であるグリップ部で、グリップ部の外観部で指が直接触れる表面部１ａと、その表面部１ａと一体成型により取り付いているフレーム１ｂから成る。表面部１ａは弾性が大きい樹脂材料で構成され、使用者の指が当たる部分でホールドしやすいように凹形状２が形成されている。フレーム１ｂは樹脂などの固い材料で構成され、表面部１ａの形状を保持している。またフレーム１ｂは、表面部１ａの内側に一体成型され、表面部１ａと、グリップ部材１が取り付く筐体４と、さらにその内側にある本体フレーム５とを、ビス６により固定されている。又、フレーム１ｂの孔３の部分は孔があいており、凹部２の裏側にその孔部３が位置するように構成されている。４は本グリップ装置が装着される機器の外郭である筐体で、本例では機器としてビデオカメラを用いたが、あらゆる機器に応用可能である。５は筐体４内部に配された本体フレームである。なお、本体フレーム５は必須の構成ではない。
【０００６】
以上のように構成された従来のグリップ装置について、図面を用いてその動作について説明する。
【０００７】
図７（ａ）は本発明の実施の形態におけるグリップ装置を有するビデオカメラの全体斜視図であり、図７（ｂ）はそのグリップ装置を有するビデオカメラの上面図、図７（ｃ）と図７（ｄ）はそのグリップ装置を有するビデオカメラのグリップ部断面図である。図７において、７は中空部で、本装置を組み立てた状態で凹部２の内側に形成される空間に相当し、隙間９がある空間である。
【０００８】
使用者が図７（ａ）に示すビデオカメラを手で保持した際、使用者の手の指はグリップ部１の表面部１ａに当接する。使用者の指でグリップ部１を握ったときに、表面部１ａの凹部２の内側は、フレーム１ｂに孔３が開いているため、弾性が大きい樹脂材料からなる表面部１ａは、フレーム１ｂの孔３の部位において、内側へ撓むこととなる。
【０００９】
このように、グリップ部１の表面部１ａに弾性の大きな樹脂材料を用い、更にその樹脂材料の内側に空間７を有する構成にすることにより、指でグリップ部１を握ったときにグリップ部１が大きくたわむため、ホールドしたときに指に当たる部分をの弾性効果を高め、指にあたる感触をよりソフトにし、ホールド感を向上させることができる。
【特許文献１】特開平８−１１６４７６号公報
【発明の開示】
【発明が解決しようとする課題】
【００１０】
しかしながら上記従来の構成では、表面部１ａを把持した際に撓む部位は、フレーム１ｂに設けられた孔３の位置によって決まるため、様々な手の大きさの人に対応できないという問題があった。つまり、図７に示すように従来構成では表面部１ａに設けられた凹部は３箇所であり、位置も決まっている。このような構成において、例えば手の大きさが小さく、図示の凹部に最適に指を当てることが困難な場合、ビデオカメラとしての操作性を低下させてしまう。
【００１１】
本発明は上記問題点に鑑み、中空のグリップ構造において、操作性及び品格を向上することができるグリップ装置を提供することを目的とする。
【課題を解決するための手段】
【００１２】
この目的を達成するために本発明のグリップ装置は、電子機器の筐体に配され使用者が把持するグリップ装置であって、弾性変形する材料にて構成された把持手段と、前記把持手段と一体的に形成されかつ使用者による把持部位の裏面側に配された突起部とを備え、本装置を使用者が把持し、前記把持手段が弾性変形した際、前記突起部が前記筐体に当接するものである。
【００１３】
また、電子機器の筐体に配され使用者が把持するグリップ装置であって、弾性変形する材料にて構成された把持手段と、前記把持手段と一体的に形成されかつ使用者による把持部位の裏面側に配された突起部と。前記突起部における前記筐体との当接部分に設けられかつ前記筐体に対して部分的に当接する当接部とを備え、本装置を使用者が把持し、前記把持部が弾性変形した際、前記当接部が前記筐体に当接するものである。
【発明の効果】
【００１４】
本発明によれば、グリップ部に弾性の大きな樹脂材料を用い、更にその樹脂材料の内側に空間を有する構成にすることにより、指でグリップ部を握ったときにグリップ部が大きくたわむため、ホールドしたときに指に当たる部分の感触をよりソフトにし、ホールド感を向上させることができる。
【００１５】
また、使用者が強く握ってリブが本体フレームに当たるまで大きくたわんだ時には、突起の先端のみが本体フレームに当たるため、突起がない場合と比べ、本体フレームと把持部の接触面積が突起の先端のみとなるため、接触面積が少なくなり、指を把持部から離してリブ先端が本体フレームから離れる時に弾性樹脂特有の異音発生の軽減を図ることができる。
【発明を実施するための最良の形態】
【００１６】
本発明の請求項１に記載の発明は、電子機器の筐体に配され使用者が把持するグリップ装置であって、弾性変形する材料にて構成された把持手段と、前記把持手段と一体的に形成されかつ使用者による把持部位の裏面側に配された突起部とを備え、本装置を使用者が把持し、前記把持部が弾性変形した際、前記突起部が前記筐体に当接するものであり、これにより、弾性変形する範囲を広くすることができるため、把持した際の感触および操作性を向上させることができる。
【００１７】
また、請求項２に記載の発明は、電子機器の筐体に配され使用者が把持するグリップ装置であって、弾性変形する材料にて構成された把持手段と、前記把持手段と一体的に形成されかつ使用者による把持部位の裏面側に配された突起部と。前記突起部における前記筐体との当接部分に設けられかつ前記筐体に対して部分的に当接する当接部とを備え、本装置を使用者が把持し、前記把持部が弾性変形した際、前記当接部が前記筐体に当接することにより、筐体に対する当接面積を少なくすることができ、当接部が筐体から離間する際に発生する異音を低減することができる。
【００１８】
以下、本発明の実施の形態について、図面を用いて説明する。
【００１９】
（実施の形態１）
図１は本発明の実施の形態におけるグリップ構造を有するビデオカメラの全体斜視図およびその上面図と断面指示図、図４はそのグリップ構造を有するビデオカメラのグリップ部断面図であり、図１のＢ−Ｂ部の断面である。図３はそのグリップ部を握ったときの断面図であり、図１のＡ−Ａ部の断面である。図２は本実施の形態のグリップ構造の分解構成斜視図である。なお、図４は後述する十時の形態２に相当する図面であるが、実施の形態１における説明にも一部利用している。
【００２０】
図１において、１００は本実施の形態のグリップ装置を搭載した機器の一例であるビデオカメラで、本実施の形態ではビデオカメラとしたが、使用者の手によって保持することができる機器であれば、これに限定されるものではない。１１０はビデオカメラ１００の上面に配され、使用者の手によって保持された際に、手の指によって把持される部位であるグリップ部である。
【００２１】
図２において、１０は図１におけるグリップ部１１０に相当する部材であるグリップ部、１１はグリップ部１０の外観部となり使用者の指が直接触れる把持手段である把持部で、かつ弾性が大きい樹脂材料よりなる。なお、本実施の形態では樹脂材料で構成されたとしたが、少なくとも弾性変形する材料であれば樹脂に限ることなく、他の材料で構成してもよい。なお、把持部１１における斜線部１２の部位は、使用者が握った時に指が当たる部分で、ホールドしやすいように凹形状になっている。１３は把持部１１と一体成型され把持部１１を保持するフレームてあり、把持部１１とフレーム１３とでグリップ部１０を構成している。１４はフレーム１３に一カ所だけ設けられた開口部で、把持部１１の凹部１２の位置に対応した位置に開口している。従来技術と異なる点は、従来技術は開口部が、凹部に応じて比較的小さな孔を複数（凹部の数）設けた点であるのに対し、本願発明は凹部の数に限らず大きな孔を１つだけ設けた点である。１５は把持部１１の内面に突出して設けられた突起部であるリブであり、把持部１１に一体成形されており弾性変形する。リブ１５は図３及び図４に示すように、把持部１１の凹部１２周辺から、垂直下向きに突出した形状となっている。１６はグリップ部１０が装着される筐体である本体フレームである。
【００２２】
以上のように構成された本実施の形態のグリップ構造について、図面を用いてその動作について説明する。
【００２３】
まず、本実施の形態のグリップ装置の内部構造について説明する。図２（ａ）において、弾性が大きな樹脂材料より成形された把持部１１と、固い樹脂よりなるフレーム１３とによりグリップ部１０を構成する場合は、把持部１１に用いる弾性が大きな樹脂材料と、フレーム１３に用いる固い樹脂材料とを、所定の成形型を用いて一体成形（いわゆる二色成形）を行い、成型品として図２（ｂ）及び（ｃ）に示すグリップ部１０を得る。なお、一体成型に限らず、把持部１１とフレーム１３とを別部品として成型し、それぞれを矢印Ｃに示すようにフレーム１３の上部に把持部１１を装着するようにしてもよい。この時、フレーム１３に設けられた開口部１４に対応した位置に、把持部１１の凹部１２が対応するように装着する。この時の装着手段としては、ビスなどの締結部品を用いてもよいし、把持部１１あるいはフレーム１３のいずれかに爪などの係合手段を設けて互いに係合させてもよいし、接着剤による接着であってもよい。
【００２４】
次に、図２（ｂ）に示すように、グリップ部１０を矢印Ｄに示すように本体フレーム１６の所定位置に装着する。この時の装着方法も、ビスなどの締結部品を用いてもよいし、把持部１１あるいはフレーム１３のいずれかに爪などの係合手段を設けて互いに係合させてもよいし、接着剤による接着であってもよい。そして、このグリップ部１０の装着工程の前後に、ビデオカメラに備えられる他の部品を組み立て、最終的に図１に示すようにビデオカメラ１００が完成する。
【００２５】
次に、使用者によって把持された時の動作について図３を用いて説明する。
【００２６】
図３（ａ）に示すように、把持部１１の内側は中空となっており、中空に相当する空間１７を有している。空間１７が設けられている部分は、把持部１１における指が当接する部位の内側であり、厚さとして第１の隙間１８に相当する空間がある。
【００２７】
この状態から、矢印Ｅに示すようにグリップ部１０を使用者が手によって握ると、その手の握力が指２１から伝わり、図３（ｂ）に示すように把持部１１の一部が、１１ａに示す状態から１１ｂに示す状態へ弾性変形する。具体的には、弾性力が大きい樹脂材料より構成される把持部１１は、内部に空間１７を有しているため、第１の隙間１８で示す範囲において弾性変形させることができる。この時、把持部１１の内側にあるリブ１５も、把持部１１が弾性変形したときにフレーム部材１６の表面に当たるまでの第２の隙間２０の間で弾性変形させることができる。
【００２８】
図３（ｂ）に示す状態から、使用者の指２１がグリップ部１０から離間すると、弾性変形していた把持部１１は、１１ｂの状態から１１ａの状態へと弾性復帰する。そして図３（ａ）に示すような状態へと戻るわけである。
【００２９】
以上のように本実施の形態によれば、グリップ部１０に弾性の大きな樹脂材料を用い、更にその樹脂材料の内側に空間を有する構成にすることにより、指でグリップ部１０を握ったときにグリップ部が大きくたわむため、ホールドしたときに指に当たる部分の感触をよりソフトにし、ホールド感を向上させることができる。
【００３０】
なお、本実施の形態では把持部１１は弾性力が大きい樹脂材料にて一体成形する構成としたが、リブ１５のみ弾性力が異なる材料で一体構成してもよい。そうすることで、図３（ｂ）に示すように把持部１１が弾性変形し、本体フレーム１６に当接した際に、把持部１１の変形量を一定量に制限することができる。
【００３１】
（実施の形態２）
次に、本発明の実施の形態２について説明する。
【００３２】
図４は本実施の形態のグリップ装置の構成を示す断面図であり、図１のＢ−Ｂ部の断面に相当する。図５は本実施の形態のグリップ装置の構成を示す断面図であり、図１のＡ−Ａ部の断面に相当する。
【００３３】
図４及び図５において、１０は図１におけるグリップ部１１０に相当する部材であるグリップ部、１１はグリップ部１０の外観部となり使用者の指が直接触れる把持手段である把持部で、かつ弾性が大きい樹脂材料よりなる。なお、本実施の形態では樹脂材料で構成されたとしたが、少なくとも弾性変形する材料であれば樹脂に限ることなく、他の材料で構成してもよい。なお、把持部１１における斜線部１２の部位は、使用者が握った時に指が当たる部分で、ホールドしやすいように凹形状になっている。１３は把持部１１と一体成型され把持部１１を保持するフレームてあり、把持部１１とフレーム１３とでグリップ部１０を構成している。１４はフレーム１３に一カ所だけ設けられた開口部で、把持部１１の凹部１２の位置に対応した位置に開口している。従来技術と異なる点は、従来技術は開口部が、凹部に応じて比較的小さな孔を複数（凹部の数）設けた点であるのに対し、本願発明は凹部の数に限らず大きな孔を１つだけ設けた点である。１５は把持部１１の内面に突出して設けられた突起部であるリブであり、把持部１１に一体成形されており弾性変形する。リブ１５は図３及び図４に示すように、把持部１１の凹部１２周辺から、垂直下向きに突出した形状となっている。１６はグリップ部１０が装着される筐体である本体フレームである。
【００３４】
１９はリブ１５における本体フレーム１６に当接する部位に設けられた当接部である突起で、本体フレーム１６に対して部分的に当接する形状となっている。本実施の形態では図示のように、リブ１５の下端に略三角形状の突起が複数個設けられた構成となっている。本実施の形態では三角形状としたが、この形状に限るものではなく、また数についても限定されない。つまり、当接対象となる本体フレーム１６に対して当接面積が少なくなるような形状であれば他の形状・数であってもよいということである。形状としては三角形状以外に、円錐形状や半球形状や矩形などが考えられる。なお、突起１９はリブ１５と同材料にて一体成形されるものであるが、これに限ることなく、それぞれの材料を異ならせてもよいし、必ずしも一体成形する必要もない。
【００３５】
以上のように構成された本実施の形態のグリップ構造について、図面を用いてその動作について説明する。
【００３６】
図５（ａ）に示すように、把持部１１の内側は中空となっており、中空に相当する空間１７を有している。空間１７が設けられている部分は、把持部１１における指が当接する部位の内側であり、厚さとして第１の隙間１８に相当する空間がある。
【００３７】
この状態から、矢印Ｅに示すようにグリップ部１０を使用者が手によって握ると、その手の握力が指２１から伝わり、図５（ｂ）に示すように把持部１１の一部が、１１ａに示す状態から１１ｂに示す状態へ弾性変形する。具体的には、弾性力が大きい樹脂材料より構成される把持部１１は、内部に空間１７を有しているため、第１の隙間１８で示す範囲において弾性変形させることができる。この時、把持部１１の内側にあるリブ１５も、把持部１１が弾性変形したときにフレーム部材１６の表面に当たるまでの第２の隙間２０の間で弾性変形させることができる。
【００３８】
実施の形態１ではリブ１５が本体フレーム１６に当接する際は、いわゆる面当接していたが、本実施の形態では、図５（ｂ）に示すように把持部１１が弾性変形した状態で、リブ１５の先端に設けられた突起１９が、本体フレーム１６の表面に点当接するようになっている。つまり、本実施の形態では、リブ１５と本体フレーム１６との当接面積が少なくなるように、リブ１５の先端に複数の突起１９を設けている。
【００３９】
図５（ｂ）に示す状態から、使用者の指２１がグリップ部１０から離間すると、弾性変形していた把持部１１は、１１ｂの状態から１１ａの状態へと弾性復帰しようとする。ここで、実施の形態１のようにリブ１５が本体フレーム１６に対して面当接していた場合、つまり当接面積が大きい場合、リブ１５が本体フレーム１６から離間する際に、異音が発生する可能性が高くなる。リブ１５は弾性変形する材料で構成されているため、使用者の指２１の押圧による弾性変形により、リブ１５が本体フレーム１６に押し付けられている状態から、図３（ａ）に示すように形状復帰しようとすると、リブ１５の先端と本体フレーム１６との間で摩擦力が発生し、異音が発生する。本実施の形態では、リブ１５の先端に突起１９を設けて当接面積を少なくすることで、突起１９が本体フレーム１６から離間する際に発生する摩擦力が少なくなり、異音を低減することができる。
【００４０】
そして図５（ａ）に示すような状態へと戻るわけである。
【００４１】
以上のように本実施の形態によれば、使用者が強く握ってリブ１５が本体フレーム１６に当たるまで大きくたわんだ時には、突起１９の先端のみが本体フレーム１６に当たるため、実施の形態１のように突起１９がない場合と比べ、本体フレーム１６と把持部１１の接触面積が突起１９の先端のみとなるため、接触面積が少なくなり、指２１を把持部１１から離してリブ１５先端が本体フレーム１６から離れる時に弾性樹脂特有の異音発生の軽減を図ることができる。
【産業上の利用可能性】
【００４２】
本発明は、ビデオカメラのように携帯が可能で、かつ使用者が手により把持する機器に利用して有効なグリップ装置に関するものである。
【図面の簡単な説明】
【００４３】
【図１】（ａ）本発明の実施の形態１におけるグリップ装置を用いたビデオカメラの構成を示す斜視図（ｂ）同平面図
【図２】同実施の形態のグリップ装置の組み立てを説明するための分解斜視図
【図３】同実施の形態における図１（ｂ）のＡ−Ａ部断面図
【図４】本発明の実施の形態２における図１（ｂ）のＢ−Ｂ部断面図
【図５】同実施の形態における図１（ｂ）のＡ−Ａ部断面図
【図６】従来のグリップ装置の構成を示す分解斜視図
【図７】（ａ）従来のグリップ装置を用いたビデオカメラの構成を示す斜視図（ｂ）同平面図（ｃ）同図（ｂ）のＡ−Ａ部の断面図（ｄ）同図（ｂ）のＢ−Ｂ部の断面図
【符号の説明】
【００４４】
１０    グリップ部
１１    把持部
１２    凹部
１３    フレーム
１５    リブ
１６    本体フレーム
１７    空間
１９    突起
【図１】
2005303433.tif 000003
【図２】
2005303433.tif 000004
【図３】
2005303433.tif 000005
【図４】
2005303433.tif 000006
【図５】
2005303433.tif 000007
【図６】
2005303433.tif 000008
【図７】
2005303433.tif 000009